(57)【特許請求の範囲】
【請求項１】
第一のＬＡＮと第二のＬＡＮとが、通信経路が制限される通信網を介して接続され、これ等各ＬＡＮ内にはインターネット標準プロトコルを実行するファクシミリ装置が設けられており、これ等ファクシミリ装置同士が互いにデータ通信をなすようにしたファクシミリデータ通信システムであって、
送信元ファクシミリ装置は、
前記通信網の経路制限を受けない通信経路を探索する経路探索手段と、
この探索結果により通信可能と判定され時にこの通信経路によりデータ通信をなす手段とを有することを特徴とするファクシミリデータ通信システム。
【請求項２】
前記通信網の経路制限は、前記インターネット標準プロトコルの通信サービスを示すポート番号によるフィルタリングによる制限であり、
前記経路探索手段は、前記インターネット標準プロトコルのポート番号を可変することにより経路探索をなすことを特徴とする請求項１記載のファクシミリデータ通信システム。
【請求項３】
前記送信元ファクシミリ装置と同一ＬＡＮに属するメールサーバを含み、
前記送信元ファクシミリ装置は、
前記経路探索手段による経路探索が失敗に終わった時に、前記メールサーバを介してデータ送信をなすよう制御する手段を、更に有することを特徴とする請求項１または２記載のファクシミリデータ通信システム。
【請求項４】
前記メールサーバは、前記データ送信が失敗した時、送信先ファクシミリ装置と同一ＬＡＮに属するメールサーバを介してデータ送信をなすようにしたことを特徴とする請求項３記載のファクシミリデータ通信システム。
【請求項５】
前記送信元ファクシミリ装置は、
前記経路探索手段による経路探索が失敗に終わった時に、公衆回線網を介してデータ送信をなすよう制御する手段を、更に有することを特徴とする請求項１または２記載のファクシミリデータ通信システム。
【請求項６】
第一のＬＡＮと第二のＬＡＮとが、通信経路が制限される通信網を介して接続され、これ等各ＬＡＮ内にはインターネット標準プロトコルを実行するファクシミリ装置が設けられており、これ等ファクシミリ装置同士が互いにデータ通信をなすようにしたファクシミリデータ通信システムにおける通信方法であって、
送信元ファクシミリ装置において、
前記通信網の経路制限を受けない通信経路を探索する経路探索ステップと、
この探索結果により通信可能と判定され時にこの通信経路によりデータ通信をなすステップとを有することを特徴とする通信方法。
【請求項７】
前記通信網の経路制限は、前記インターネット標準プロトコルの通信サービスを示すポート番号によるフィルタリングによる制限であり、
前記経路探索ステップは、前記インターネット標準プロトコルのポート番号を可変することにより経路探索をなすことを特徴とする請求項６記載の通信方法。
【請求項８】
前記送信元ファクシミリ装置と同一ＬＡＮに属するメールサーバを含み、
前記送信元ファクシミリ装置において、
前記経路探索ステップによる経路探索が失敗に終わった時に、前記メールサーバを介してデータ送信をなすよう制御するステップを、更に有することを特徴とする請求項６または７記載の通信方法。
【請求項９】
前記メールサーバにおいて、
前記データ送信が失敗した時、送信先ファクシミリ装置と同一ＬＡＮに属するメールサーバを介してデータ送信をなすステップを有することを特徴とする請求項８記載の通信方法。
【請求項１０】
前記送信元ファクシミリ装置において、
前記経路探索ステップによる経路探索が失敗に終わった時に、公衆回線網を介してデータ送信をなすよう制御するステップを、更に有することを特徴とする請求項６または７記載の通信方法。
【請求項１１】
第一のＬＡＮと第二のＬＡＮとが、通信経路が制限される通信網を介して接続された通信システムにおいて、これ等各ＬＡＮ内に設けられインターネット標準プロトコルを実行するファクシミリ装置であって、
他のＬＡＮに属する送信先ファクシミリ装置へのデータ送信に応答して、前記通信網の経路制限を受けない通信経路を探索する経路探索手段と、
この探索結果により通信可能と判定され時にこの通信経路によりデータ通信をなす手段とを有することを特徴とするファクシミリ装置。
【請求項１２】
前記通信網の経路制限は、前記インターネット標準プロトコルの通信サービスを示すポート番号によるフィルタリングによる制限であり、
前記経路探索手段は、前記インターネット標準プロトコルのポート番号を可変することにより経路探索をなすことを特徴とする請求項１１記載のファクシミリ装置。
【請求項１３】
前記経路探索手段による経路探索が失敗に終わった時に、同一ＬＡＮに属するメールサーバを介してデータ送信をなすよう制御する手段を、更に有することを特徴とする請求項１１または１２記載のファクシミリ装置。
【請求項１４】
前記経路探索手段による経路探索が失敗に終わった時に、公衆回線網を介してデータ送信をなすよう制御する手段を、更に有することを特徴とする請求項１１または１２記載のファクシミリ装置。
【発明の詳細な説明】
【０００１】
【発明の属する技術分野】
本発明はファクシミリデータ通信システム及びその方法並びにファクシミリ装置に関し、特に２つのＬＡＮが、通信経路が制限される通信網を介して接続され、これ等ＬＡＮ間でファクシミリ装置同士が互いにデータ通信をなすようにしたファクシミリデータ通信方式に関するものである。
【０００２】
【従来の技術】
インターネットを介してファクシミリ通信可能なファクシミリ装置があり、この様なファクシミリ装置においては、インターネットを介した通信の宛先が入力されると、この宛先へ専用線ＩＰ（Ｉｎｔｅｒｎｅｔ  Ｐｒｏｔｏｃｏｌ  ）接続を行い、しかる後に、ＴＣＰ／ＩＰ（Ｔｒａｎｓｍｉｓｓｉｏｎ  Ｃｏｎｔｒｏｌ  Ｐｒｏｔｏｃｏｌ  ／  Ｉｎｔｅｒｎｅｔ  Ｐｒｏｔｏｃｏｌ  ）なるインターネット標準プロトコルにより、ファクシミリ情報を所定フォーマットに変換して、ファクシミリデータ送信を行うようになっている。
【０００３】
この様なファクシミリ装置の例としては、特開平１０−２４３０１９号公報や特開２０００−２４３０１９号公報に開示のものがある。前者のファクシミリ装置においては、インターネットを介した通信と公衆通信網を使用した通信とを有効に運用して効率の良い通信を行うために、各宛先に対応してインターネットの宛先及び公衆通信網を使用した宛先とを、予め登録しておく。そして、通信が選択されると、所定回数はインターネットを介した通信を試行し、所定回数を越えても通信が成立しない場合には、公衆通信網を用いた通信を所定回数試行するようになっている。
【０００４】
また、後者のファクシミリ装置では、インターネット上のメールアドレスと公衆通信網上の電話番号とを有しており、他のインターネットファクシミリ装置から送信されてきたデータについては、予め登録されているテーブルを参照して、送出元アドレスから転送先を自動選択して、その転送先にデータ送出する。このとき、転送先の装置情報を判断して、ＴＣＰ／ＩＰ形式のファクシミリデータであれは、パケットのまま、アナログ形式のファクシミリデータであれば、モデムを介して送出するようになっている。
【０００５】
逆に、例えばＬＡＮ上のクライアントから、送出先ファクシミリ装置のホスト名を指定して送出指示が生成された場合、上述したテーブルを参照して送信先がアナログファクシミリ装置かＴＰＣ／ＩＰ対応のファクシミリ装置かを自動判別して、アナログファクシミリ装置であれば、データを変換して送出するものである。
【０００６】
【発明が解決しようとする課題】
この様な従来のファクシミリ装置においては、送信先のファクシミリ装置が、インターネット対応のものがあるか、アナログ対応のものであるかを自動的に判別して、送信制御を行うようになっている。しかしながら、この様なファクシミリ装置では、通信経路にファイヤウォールやルータ等が存在した場合には対応できないことになる。
【０００７】
詳しく述べると、企業内ＬＡＮ等をインターネット等の外部通信網からの不正侵入に対して保護するためにファイヤウォールやルータ等が、ＬＡＮ間やＬＡＮとインターネットとの間に設けられることが一般的であるが、この様なシステムでは、ファイヤウォールやルータ等のネットワーク機器の設定により、特定のプロトコルのみを通過させないようにしたフィルタリングや、内部から外部への通信は全て許可するが、外部から内部への通信は特定のプロトコルのみを許可するようにしたフィルタリングや、更には内部と外部との間でＩＰパケットをフォワードするパケットフィルタリングや、フォワードしないアプリケーションレベルゲートウェイ等がある。
【０００８】
この様に、ファイヤウォールやルータ等による通信経路における制限が存在する場合には、ＬＡＮ間におけるファクシミリ装置同士の通信は、上述のファクシミリ装置では不可能となるという問題がある。
【０００９】
また、この様な通信経路に制限を設けた通信システムでは、ファイヤウォールやルータ等のネットワーク機器の設置やフィルタリングの設定は、通常、インターネットファクシミリ装置に無関係に行われるために、ある日突然、ファクシミリ装置が使用できなくなったり、インターネットファクシミリ装置を導入したものの、その機能を使えなかったりするという問題もある。
【００１０】
本発明の目的は、セキュリティ性を重視して不正なアクセスからＬＡＮを防御するために、特定の通信経路でないと通信できないように設定された通信システムにおいても、またネットワーク環境に依存することなく装置対向の通信を可能としたファクシミリ装置及び通信システム並びにその方法を提供することである。
【００１１】
【課題を解決するための手段】
本発明によるファクシミリデータ通信システムは、第一のＬＡＮと第二のＬＡＮとが、通信経路が制限される通信網を介して接続され、これ等各ＬＡＮ内にはインターネット標準プロトコルを実行するファクシミリ装置が設けられており、これ等ファクシミリ装置同士が互いにデータ通信をなすようにしたファクシミリデータ通信システムであって、送信元ファクシミリ装置は、前記通信網の経路制限を受けない通信経路を探索する経路探索手段と、この探索結果により通信可能と判定され時にこの通信経路によりデータ通信をなす手段とを有することを特徴とする。
【００１２】
そして、前記通信網の経路制限は、前記インターネット標準プロトコルの通信サービスを示すポート番号によるフィルタリングによる制限であり、前記経路探索手段は、前記インターネット標準プロトコルのポート番号を可変することにより経路探索をなすことを特徴とする。
【００１３】
また、前記送信元ファクシミリ装置と同一ＬＡＮに属するメールサーバを含み、前記送信元ファクシミリ装置は、前記経路探索手段による経路探索が失敗に終わった時に、前記メールサーバを介してデータ送信をなすよう制御する手段を、更に有することを特徴とする。そして、前記メールサーバは、前記データ送信が失敗した時、送信先ファクシミリ装置と同一ＬＡＮに属するメールサーバを介してデータ送信をなすようにしたことを特徴とする。
【００１４】
更に、前記送信元ファクシミリ装置は、前記経路探索手段による経路探索が失敗に終わった時に、公衆回線網を介してデータ送信をなすよう制御する手段を、更に有することを特徴とする。
【００１５】
本発明による通信方法は、第一のＬＡＮと第二のＬＡＮとが、通信経路が制限される通信網を介して接続され、これ等各ＬＡＮ内にはインターネット標準プロトコルを実行するファクシミリ装置が設けられており、これ等ファクシミリ装置同士が互いにデータ通信をなすようにしたファクシミリデータ通信システムにおける通信方法であって、送信元ファクシミリ装置において、前記通信網の経路制限を受けない通信経路を探索する経路探索ステップと、この探索結果により通信可能と判定され時にこの通信経路によりデータ通信をなすステップとを有することを特徴とする。
【００１６】
そして、前記通信網の経路制限は、前記インターネット標準プロトコルの通信サービスを示すポート番号によるフィルタリングによる制限であり、前記経路探索ステップは、前記インターネット標準プロトコルのポート番号を可変することにより経路探索をなすことを特徴とする。
【００１７】
また、前記送信元ファクシミリ装置と同一ＬＡＮに属するメールサーバを含み、前記送信元ファクシミリ装置において、前記経路探索ステップによる経路探索が失敗に終わった時に、前記メールサーバを介してデータ送信をなすよう制御するステップを、更に有することを特徴とする。更に、前記メールサーバにおいて、前記データ送信が失敗した時、送信先ファクシミリ装置と同一ＬＡＮに属するメールサーバを介してデータ送信をなすステップを有することを特徴とする。
【００１８】
また、前記送信元ファクシミリ装置において、前記経路探索ステップによる経路探索が失敗に終わった時に、公衆回線網を介してデータ送信をなすよう制御するステップを、更に有することを特徴とする。
【００１９】
本発明によるファクシミリ装置は、第一のＬＡＮと第二のＬＡＮとが、通信経路が制限される通信網を介して接続された通信システムにおいて、これ等各ＬＡＮ内に設けられインターネット標準プロトコルを実行するファクシミリ装置であって、他のＬＡＮに属する送信先ファクシミリ装置へのデータ送信に応答して、前記通信網の経路制限を受けない通信経路を探索する経路探索手段と、この探索結果により通信可能と判定され時にこの通信経路によりデータ通信をなす手段とを有することを特徴とする。
【００２０】
本発明の作用を述べる。あるＬＡＮ内のインターネットファクシミリ装置から他のＬＡＮ内のインターネットファクシミリ装置へ送信を行う場合、送信元ファクシミリ装置は、ファイヤウォールを通過可能な設定条件（通信経路）を探索し、探索しても通過可能な通信経路がみつからない場合には、迂回路として同一ＬＡＮ内のメールサーバを介して通信を試みるか、公衆通信網による通信を行うよう構成する。これにより、ファイヤウォールやルータ等により通信経路を制限されるネットワーク環境下においても、通信経路の確保が可能となる。
【００２１】
【発明の実施の形態】
以下に、本発明の実施例について図面を用いて詳述する。図１は本発明の一実施例のシステム構成を示す概略図である。図１を参照すると、ネットワーク１０は、インターネット標準プロトコル（ＴＣＰ／ＩＰ）を実行するインターネットファクシミリ装置１１と、メールサーバ１２と、これ等を接続するＬＡＮ１３とからなる。また、ネットワーク２０は、同じくインターネットファクシミリ装置２１と、メールサーバ２２と、ＬＡＮ２３とを有している。これ等ネットワーク１０，２０とはファイヤウォール３０により、不正アクセスを防御するための通信経路制限（フィルタリング）がなされているものとする。
【００２２】
図２はインターネットファクシミリ装置１１，２１の具体的機能ブロック図であり、ＣＰＵ１と、ＬＡＮ制御部２と、ＯＰＥ（操作）部３と、記憶部４と、プリンタ部５と、ＲＡＭ６と、スキャナ部７と、これ等を接続するための内部バス９とからなっている。
【００２３】
ＣＰＵ１は各部の動作制御を行うものであり、ＬＡＮ制御部２はＬＡＮに接続されてネットワークプロトコルを含む電子メールの送受信制御機能を有している。ＯＰＥ部３はユーザが各種の設定の登録操作や、宛先指定のような送信動作を行うために用いられる。記憶部４はファクシミリデータを送信する電子メールアドレスやメールサーバアドレス等が登録されている。プリンタ部５は受信したファクシミリデータの印字出力を行う。ＲＡＭ６はファクシミリデータの生成や蓄積を行う、スキャナ部７は紙データを読み込んで電子データとするものである。
【００２４】
次に、本発明の一実施例の動作を説明する。図３は本実施例の全体の動作を示すフローチャートである。図３を参照すると、先ず、送信元ファクシミリ装置において、ホスト名またはＩＰアドレスで指定される送信相手先に接続が試みられる（ステップＳ１）。
【００２５】
このとき、ＳＭＴＰ（Ｓｉｍｐｌｅ  Ｍａｉｌ  Ｔｒａｎｓｆｅｒ  Ｐｒｏｔｏｃｏｌ  ）が用いられる。このＳＭＴＰの特徴は、インターネット標準プロトコルであるＴＣＰ／ＩＰのポート番号２５番を使用することであり、よって、この場合、先ずステップＳ１の経路確認処理においては、図４に示したトランスポート層のパケットフォーマット中の宛先ポート番号部分に“２５番”が設定される。
【００２６】
尚、ＴＣＰ／ＩＰにおける通信サービスの種別として、電子メール（ＳＭＴＰ）やファイル転送（ＦＴＰ）や、遠隔ログイン（ＴＥＬＮＥＴ）等、種々のサービスが規定されており、このために、パケットがどの通信サービスのデータのものかを示す情報が必要になる。すなわち、この通信サービス（のプログラム）にデータが渡って始めて通信が完遂することになるわけであり、よって宛先ポート番号は通信サービス種別を識別するための情報として用いられているのである。一方、ファイヤウォールは、このポート番号を通信経路の制限用パラメータとしていることがあり、よって、ステップＳ２で宛先ポート番号“２５番”としたときに、送信先から応答があった場合は、通信可能であるから（ステップＳ２）、ファクシミリデータの送信処理を行うことになる（ステップＳ３）。
【００２７】
送信相手先から応答がない場合には、通信不可と判断し、“２５番”とは異なるポート番号に変更して再度送信先への接続を試みることになる。この様に送信相手先から応答がないときには、未確認のポート番号（それまで、経路確認を行っていないポート番号）を用いて接続を試みることを繰返すのである（ステップＳ４）。
【００２８】
経路として使用可能なポート番号がなくなった（未確認のポート番号がなくなった）場合は、同一ＬＡＮ内のメールサーバに対して経路設定を行い（ステップＳ５），データを送信する（ステップＳ３）。
【００２９】
ＴＣＰ／ＩＰのポート番号は、上述した様に、既に通信サービスの種別が規定されたもの以外に、空きポート番号も多く存在するので、この空きポート番号のうち、システム設計時に使用する番号をいくつか予め定めておけば、送信元ファクシミリ装置において、ステップＳ１，Ｓ２，Ｓ４，Ｓ１の繰返し処理時におけるポート番号の可変時に、これ等定められたポート番号を順次選択する様に可変することができる。
【００３０】
次に、図１の関係にある各機器の通信における動作を具体的に説明する。まず、ネットワーク１０のファクシミリ装置１１の操作者は、ＯＰＥ部３により送信相手先となるネットワーク２０のファクシミリ装置２１を指定することで送信を開始する。ここで、本発明におけるインターネットファクシミリ装置は、メールサーバを経由するのではなく、直接送信相手となるインターネットファクシミリ装置と通信することを優先として通信するものとする。
【００３１】
これは、直接に送信相手先と通信することによって、お互いのスキャナによる読取り性能や、プリンタによる印字性能等の通信能力を交換でき、より最適な通信データによる通信を実現可能にするためである。
【００３２】
送信データはスキャナ部７にて読取られ、ＬＡＮ制御部２より送出される。ＬＡＮ制御部２はネットワーク２０のファクシミリ装置２１への接続を試みる。ここで、ネットワーク２２のファクシミリ装置２１への通信経路に存在するファイヤウォール３０には、特定のメールサーバ及びゲートウェイシステムからのＳＭＴＰだけしか通さない設定がなされていた場合、ネットワーク２０のファクシミリ装置２１への通信は成立しない。そこで、ネットワーク１０のファクシミリ装置１１は、異なるポート番号での通信をＬＡＮ制御部２にて試みる。
【００３３】
ファイヤウォール３０がこの異なるポート番号による通信を許可していれば、ネットワーク２０のファクシミリ装置２１との通信が可能となる。しかしながら、ファイヤウォール３０がこのポート番号による通信を許可していない場合には、通信は不可能である。ネットワーク１０のファクシミリ装置１１は他のポート番号での通信を試みることになる。
【００３４】
この様にして、通信可能なポート番号を探索し、全てのポート番号が通信不可であった場合には、このファイヤウォール３０を通過可能なデータは、ある特定のメールサーバまたはゲートウェイシステムであるものと判断し、ネットワーク１０内のメールサーバ１２へ送信を行うことになる。
【００３５】
図５はこのネットワークサーバ１２での以降の動作フローを示しており、このサーバ１２はネットワーク１０のファクシミリ装置１１から受信したデータを（ステップＳ１１）、送信相手先となるネットワーク２０のファクシミリ装置２１へ送信する（ステップＳ１２）。
【００３６】
通信できなかった場合には（ステップＳ１３）、ネットワーク２０のメールサーバ２２へ送信を行う（ステップＳ１４）。このメールサーバ２２はネットワーク１０のメールサーバ１２からデータを受信してファクシミリ装置２１へこのデータを送信する（ステップＳ１５）。なお、ステップＳ１３において、通信可能であれば、図３のステップＳ３へ進み（ステップＳ１６）、送信が行われる。
【００３７】
次に、本発明の他の実施例について図面を参照して詳細に説明する。図６は本発明の他の実施例におけるファクシミリ装置の構成を示すブロック図であり、図２と同等部分は同一符号にて示している。図６を参照すると、本実施例は、ＣＰＵ１と、ＬＡＮ制御部２と、ＯＰＥ部３と、記憶部４と、プリンタ部５と、ＲＡＭ６と、スキャナ部７と、ＮＣＵ（網制御ユニット）／モデム部８と、これ等を接続する内部バス９とを含む。
【００３８】
これらの各部はそれぞれ概略次のように動作する。ＣＰＵ１は各部の制御を行う。ＬＡＮ制御部２はＬＡＮに接続されてネットワークプロトコルを含む電子メールの送受信を制御する。ＯＰＥ部３はユーザが各種設定の登録操作や、宛先指定のような送信動作を行うのに用いられる。記憶部４はファクシミリデータを送信する電子メールアドレスやメールサーバアドレスを登録格納する。プリンタ部５は受信したファクシミリデータを印字出力する。ＲＡＭ６はファクシミリデータの生成および蓄積を行う。スキャナ部７は紙データを読込み電子データを生成する。ＮＣＵモデム部８は電話回線と接続し、ファクシミリデータの送受信を制御する。
【００３９】
図５は本発明の他の実施例の動作を示すフローチャートであり、図７を参照して本実施例の全体の動作を説明する。図７のフローチャートを参照すると、まず、ホスト名またはＩＰアドレスで指定される送信相手先に接続を試みる（ステップ１）。この時、ＳＭＴＰを用いる。送信相手先から応答が有った場合は（ステップ２）、通信可能として送信処理を行う（ステップ３）。送信相手先から応答が無かった場合は（ステップ２）、通信不可と判断する。通信不可と判断した場合は２５番とは異なるポート番号にて再度、送信相手先への接続を試みる。このように送信相手先から応答が無い場合は、未確認のポート番号にて接続を試みることを繰り返す。経路として使用可能なポート番号が無くなった場合は（ステップ４）、電話回線による経路設定をし（ステップ６）、データを送信する（ステップ３）。
【００４０】
次に、具体例を説明する。ここで、記憶部４には、送信先となる装置のＩＰアドレスまたはホスト名及びファクシミリの回線番号が予め登録されているとする。まず、操作者は、ＯＰＥ部３を操作して、記憶部４に登録されている送信相手先から送信したい相手先を選択する。また、スキャナ部７に送信原稿をセットし、データを読取る。読取られたデータはＲＡＭ６に蓄積される。ＬＡＮ制御部２は指定された送信相手先への接続を試みる。接続出来なかった場合は、他のポート番号での接続を試みる。これを繰り返し、全てのポート番号で送信できなかった場合は、送信経路として、電話回線を選択し、記憶部７に登録された情報より、ＮＣＵ／モデム部８を利用して電話回線による送信相手への接続を試みる。接続できた場合は、ＲＡＭ６よりデータを送信する。
【００４１】
【発明の効果】
本発明による第１の効果は、ネットワーク環境によらずに装置対向の通信が可能なことである。その理由は、ファイヤウォール装置を通過可能な経路を自動的に検索する仕組みを設けたためである。また、本発明による第２の効果は、装置対向の通信ができなくても通信が可能なことである。その理由は、通信経路として確保されているメールサーバ経由の通信や、公衆回線を使用した通信を行うためである。
【図面の簡単な説明】
【図１】本発明の一実施例のシステムブロック図である。
【図２】図１におけるファクシミリ装置の具体例を示す図である。
【図３】本発明の一実施例の動作を説明するフローチャートである。
【図４】ＴＣＰ／ＩＰにおけるパケットフォーマットの例を示す図である。
【図５】本発明の一実施例の一部動作の詳細を説明するフローチャートである。
【図６】本発明の他の実施例におけるファクシミリ装置の具体例を示す図である。
【図７】本発明の他の実施例の動作を説明するフローチャートである。
【符号の説明】
１  ＣＰＵ
２  ＬＡＮ制御部
３  ＯＰＥ部
４  記憶部
５  プリンタ部
６  ＲＡＭ
７  スキャナ部
８  ＮＣＵ／モデム部
９  内部バス
１０，２０  ネットワーク
１１，２１  ファクシミリ装置
１２，２２  メールサーバ
１３，２３  ＬＡＮ
３０  ファイヤウォール
【図１】
0003594009.tif 000002
【図２】
0003594009.tif 000003
【図３】
0003594009.tif 000004
【図４】
0003594009.tif 000005
【図５】
0003594009.tif 000006
【図６】
0003594009.tif 000007
【図７】
0003594009.tif 000008